(57)【要約】【課題】射出成形等の際に、主体金具等の中心部材が回動することを効果的に抑制できるノッキングセンサを提供すること。【解決手段】ノッキングセンサ１では、主体金具１１の座面４１に形成された溝４３は、座面４１の周方向の寸法より径方向の寸法が長い長尺の形状を有している。従って、被覆部材５を射出成形によって形成する際に、被覆部材５の絶縁材料が中心部材３（詳しくは主体金具１１）を回動させる方向に供給された場合でも、前記溝４３に金型６１の凸部６７を嵌合させることにより、主体金具１１等の回動を効果的に抑制することができる。つまり、主体金具１１の座面４１に形成された溝４３は、回動方向よりも回動方向に直交する径方向が長いように形成されているので、主体金具１１の回動を確実に抑制できるという利点がある。【選択図】図４
2018009870.tif 000002
【特許請求の範囲】
【請求項１】
貫通孔を有する筒状の主体金具と、
該主体金具に外嵌された圧電素子と、
を備えた中心部材と、
該中心部材の外周側を覆うように形成された樹脂製の被覆部材と、
を備え、
前記主体金具の軸方向の一端に、前記貫通孔の開口部を囲む環状の座面を有するノッキングセンサにおいて、
前記主体金具の座面に１又は複数の溝を有し、
該溝は、前記座面の周方向の寸法より径方向の寸法が長い長尺の形状を有するとともに、前記座面の外周端より内側に形成されていることを特徴とするノッキングセンサ。
【請求項２】
前記溝は、前記座面の内周端に達することを特徴とする請求項１に記載のノッキングセンサ。
【請求項３】
前記溝を複数備えるとともに、該複数の溝は、前記座面の径方向に沿って放射状に配置されていることを特徴とする請求項１又は２に記載のノッキングセンサ。
【発明の詳細な説明】
【技術分野】
【０００１】
本発明は、内燃機関に発生するノッキングを検出するノッキングセンサに関する。
【背景技術】
【０００２】
従来より、内燃機関に発生するノッキングを検出するノッキングセンサとして、円筒形状の主体金具と、主体金具に外嵌された圧電素子や錘と、圧電素子や錘を主体金具に固定するナット等を備えたものが知られている。さらに、主体金具や圧電素子等の部品（即ち中心部材）の外周が、射出成形によって形成された樹脂製の被覆部材によって覆われたノッキングセンサも知られている。
【０００３】
この種のノッキングセンサを内燃機関に取り付ける場合には、例えば、主体金具の貫通孔にボルト等の固定部材を通し、この固定部材の先端を内燃機関の取付部にねじ込むことによって、ノッキングセンサを固定していた。
【０００４】
また、近年では、主体金具の軽量化のために、主体金具の底部（即ち座面）に円形や円弧状の切り欠きを設ける技術が開示されている（特許文献１参照）。また、ノッキングセンサをボルトによって内燃機関の取付部に固定する際に、ノッキングセンサの回動を防止するために、主体金具の座面に、円形や円弧状（即ち円周方向に湾曲した形状）の凹部を設けた技術が開示されている（特許文献２参照）。
【先行技術文献】
【特許文献】
【０００５】
【特許文献１】特許第３５１６５７７号公報
【特許文献２】特開２００４−８５２５５号公報
【発明の概要】
【発明が解決しようとする課題】
【０００６】
しかしながら、上述した従来技術では必ずしも十分ではなく、一層の改善が望まれている。
具体的には、上述した従来技術では、例えば射出成形によって、主体金具等の中心部材の周囲に被覆部材を形成する場合に、その射出圧によって中心部材が回動することを防ぐことができないことがあった。
【０００７】
これに対して、中心部材を載置する基台の表面に凸部を設け、この凸部と前記主体金具の座面の円形や円弧状の凹部とを嵌合させることによって、中心部材の回動を抑えることが考えられるが、この方法では、中心部材の回動を阻止する構成が十分ではないので、回動を効果的に抑制できない恐れがある。
【０００８】
そのため、射出成型の際に、中心部材が回動すると、その部品等の一部が被覆部材の外側に露出する恐れがあった。
本発明は、このような課題に鑑みてなされたものであり、その目的は、射出成形等の際に、主体金具等の中心部材が回動することを効果的に抑制できるノッキングセンサを提供することである。
【課題を解決するための手段】
【０００９】
（１）本発明の第１局面は、貫通孔を有する筒状の主体金具と、主体金具に外嵌された圧電素子と、を備えた中心部材と、中心部材の外周側を覆うように形成された樹脂製の被覆部材と、を備え、主体金具の軸方向の一端に、貫通孔の開口部を囲む環状の座面を有するノッキングセンサに関するものである。
【００１０】
このノッキングセンサでは、主体金具の座面に１又は複数の溝を有し、その溝は、座面の周方向の寸法より径方向の寸法が長い長尺の形状を有するとともに、座面の外周端より内側に形成されている。
【００１１】
本第１局面では、主体金具の座面に形成された溝は、座面の周方向の寸法より径方向の寸法が長い長尺の形状を有している。従って、被覆部材を射出成形によって形成する際に、被覆部材の材料が中心部材（詳しくは主体金具）を回動させる方向に供給された場合でも、前記溝に例えば上述した凸部等を嵌合させることにより、主体金具等の回動を効果的に抑制することができる。
【００１２】
つまり、主体金具の座面に形成された溝は、回動方向よりも回動方向に直交する径方向が長いように形成されているので、即ち、回動する方向に（従来よりも面積が広い）回動を阻止する構成が設けられているので、主体金具の回動を確実に抑制できるという利点がある。
【００１３】
また、主体金具に搭載された圧電素子等を、ナットで締め付けて固定する場合には、例えば基台上に凸部を設けておき、その凸部と主体金具の座面の溝とを嵌合させた状態で締め付けることができる。
【００１４】
この場合には、従来のように、ナットで締め付ける際に、主体金具の外周を固定具でクランプする必要がないので、クランプ痕やその位置ずれによる痕跡が発生しない。よって、そのような痕跡による製品不良の発生を防ぐことができる。
【００１５】
さらに、ノッキングセンサを、主体金具に貫挿したボルトによって、内燃機関の取付部に固定する場合には、ボルトの締め付けの際に、主体金具（従ってノッキングセンサ）が回動し易いが、前記溝を例えば取付部に設けた凸部と嵌合させることよって、ノッキングセンサの回動を確実に抑制することができる。
【００１６】
また、本第１局面では、座面に形成された溝は、座面の外周端より内側に形成されている。つまり、この溝は、座面の外周端に達していない。そのため、射出成形の際に、外周側より溝の中に、被覆部材の材料が侵入することを防ぐことができる。つまり、射出成形の際に、被覆部材の材料によって溝が埋まることを抑制できるという利点がある。
【００１７】
（２）本発明の第２局面では、溝は、座面の内周端に達している。
従って、座面に径方向に長い溝（即ち回動を抑制する効果の大きな溝）を容易に形成できるという利点がある。
【００１８】
（３）本発明の第３局面では、溝を複数備えるとともに、その複数の溝は、座面の径方向に沿って放射状に配置されている。
本第３局面では、溝は放射状に形成されているので、より一層確実に主体金具等の回動を抑制することができる。
【００１９】
＜以下に、本発明の構成について説明する＞
・ノッキングセンサとしては、非共振型のノッキングセンサが挙げられる。
・ノッキングセンサとしては、主体金具の外周面に螺合して、圧電素子を固定するナットを備えたものが挙げられる。
【００２０】
・被覆部材としては、圧電素子や主体金具の外周側を一体に覆う円筒形状の被覆部材が挙げられる。
・被覆部材を構成する樹脂としては、射出成形によって被覆部材を形成できる各種の材料が挙げられる。例えばポリアミド（ＰＡ）等を用いることができる。
【００２１】
・主体金具の材料としては、炭素鋼等の金属材料が挙げられる。
・溝の幅としては、例えば２ｍｍ〜４ｍｍの範囲が挙げられ、溝の深さとしては、例えば０．５ｍｍ〜１．５ｍｍの範囲が挙げられる。
【００２２】
・複数の溝を形成する場合には、座面に対して垂直の方向から見た平面視で、同様な形状の溝を、同じ中心角となるように設けることが好ましい。これは、回動の際に各溝にかかる力を均等にするためである。
【図面の簡単な説明】
【００２３】
【図１】第１実施形態のノッキングセンサの外観を表す正面図である。
【図２】ノッキングセンサを軸線方向に沿って破断し、その内部構造を示す断面図である。
【図３】主体金具を軸線方向に沿って破断して示す断面図である。
【図４】ノッキングセンサの座面側を示す底面図である。
【図５】中心部材を分解して示す斜視図である。
【図６】中心部材の組み付け方法を示し、（ａ）は基台上に載置した中心部材を軸線方向に沿って破断した断面図、（ｂ）は基台の表面の凸部を示す平面図である。
【図７】射出成形の方法を示し、（ａ）は中心部材及び金型を軸線方向に沿って破断した断面図、（ｂ）は金型の表面の凸部を示す平面図である。
【図８】ノッキングセンサの取付方法を示す説明図である。
【図９】第２実施形態のノッキングセンサの座面側を示す底面図である。
【図１０】第３実施形態のノッキングセンサの座面側を示す底面図である。
【発明を実施するための形態】
【００２４】
以下、本発明が適用されたノッキングセンサの実施形態について、図面を用いて説明する。
［１．第１実施形態］
［１−１．ノッキングセンサの全体構成］
まず、ノッキングセンサの外観について図１を用いて説明する。
【００２５】
図１に示すように、第１実施形態のノッキングセンサ１は、非共振型のノッキングセンサ１である。このノッキングセンサ１は、中心側に各種の構成部品からなる中心部材３が配置されるとともに、中心部材３の外周側の周囲を覆うように、絶縁材料（例えばポリアミド等の各種樹脂材料など）からなる被覆部材（ケース）５を備えている。
【００２６】
被覆部材５は、上面側（図１における上側を示す）がテーパ状に成形された円柱形状の素子収納部７と、外部機器（例えば、点火時期制御装置など）に繋がる外部コネクタを接続するコネクタ部９と、を備えている。コネクタ部９は、素子収納部７の外周壁から外向きに突出して形成されている。
【００２７】
次に、ノッキングセンサ１の内部構造について図２を用いて説明する。
図２に示すように、ノッキングセンサ１は、中心部材３として、支持部材である主体金具１１、下面側電極部材１３、圧電素子１５、上面側電極部材１７、錘部材１９、ナット２１を備えるとともに、中心部材３の外周側に被覆部材５を備えている。
【００２８】
主体金具１１は、例えば、ＳＷＣＨ２５Ｋなどの炭素鋼等の金属材料からなり、軸線Ｏの方向（軸線方向：軸方向）に延びる円筒形状の本体部２５を有すると共に、本体部２５のうち軸線方向における下面部から径方向外向きに突出する鍔部２７を備えている。
【００２９】
本体部２５の内部には、軸線方向に貫通する貫通孔２９が設けられている。また、本体部２５における外周面の上面側および鍔部２７の外周面には、被覆部材５との密着性を高めるための溝部３１、３３が設けられている。そして、本体部２５の外周面のうち溝部３１の下面側（図１における下側を示す）には、ナット２１と螺合するネジ溝３５が設けられている。
【００３０】
圧電素子１５は、圧電効果を有する材料、例えば、チタン酸ジルコン酸鉛（ＰＺＴ）やチタン酸バリウム等の各種セラミックス、水晶等の各種結晶、ポリフッ化ビニリデン等の各種有機材料等からなり、本体部２５の外周を取り囲む環状形状に形成されて、鍔部２７の上面側に配置されている。
【００３１】
下面側電極部材１３は、本体部２５の外周を取り囲む環状形状に形成されており、圧電素子１５の下面に当接している。また、この下面側電極部材１３は、圧電素子１５の下面からコネクタ部９まで延びる端子部１３ａを備えている。この端子部１３ａは、圧電素子１５の下面から出力される電気信号の通電経路として使用される。
【００３２】
上面側電極部材１７は、本体部２５の外周を取り囲む環状形状に形成されており、圧電素子１５の上面に当接している。また、この上面側電極部材１７は、圧電素子１５の上面からコネクタ部９まで延びる端子部１７ａを備えている。この端子部１７ａは、圧電素子１５の上面から出力される電気信号の通電経路として使用される。
【００３３】
錘部材１９は、環状形状の金属材料（真鍮等の各種金属材料）により形成されており、上面側電極部材１７の上面側において、本体部２５の外周を取り囲むように配置されて、圧電素子１５に対して荷重を印加するために備えられている。
【００３４】
ナット２１は、環状形状の金属材料で形成されており、内周面に本体部２５のネジ溝３５と螺合するネジ溝（図示略）が形成されて、本体部２５に螺合固定できるように構成されている。なお、ナット２１は、軸線方向に垂直な面における外周形状が多角形（例えば、六角形）に形成されており、工具などを用いて締め付け固定できるように構成されている。
【００３５】
［１−２．主体金具の座面の構成］
次に、本第１実施形態の要部である主体金具１１の座面の構成について説明する。
図３及び図４に示すように、主体金具１１の鍔部２７の下面には、主体金具１１の貫通孔２９の（図３の下側の）開口部２９ａを囲むように、円環形状の座面４１が形成されている。
【００３６】
そして、この座面４１には、放射状に４箇所に溝４３が形成されている。つまり、４個所の溝４３は、貫通孔２９の軸線Ｏを中心として、中心角θが９０°毎の等間隔となるように放射状に設けられている。すなわち、図４の上下方向に一対の溝４３が設けられるとともに、左右方向に一対の溝４３が設けられており、各溝４３の形状は同じ（軸線Ｏを中心とする点対称の形状）である。
【００３７】
各溝４３は、座面４１の周方向の寸法より径方向の寸法が長い長尺の形状を有しており、その軸線Ｏから遠い先端側（外周側）は半円状に丸くなっている。また、各溝４３は、座面４１の外周端より内側に形成されているとともに、座面４１の内周端に達している。
【００３８】
なお、鍔部２７の直径は例えば２３ｍｍであり、各溝４３の長手方向の長さは例えば３．２ｍｍ、幅方向の長さは例えば２ｍｍ、深さは例えば１ｍｍである。
［１−３．ノッキングセンサの製造工程］
次に、ノッキングセンサ１の製造工程について説明する。
【００３９】
＜中心部材の組み付け＞
図５に示すように、ノッキングセンサ１の組み立て作業においては、まず、主体金具１１における本体部２５の外周を取り囲むように、下面側から上面側に向けて、下面側電極部材１３、圧電素子１５、上面側電極部材１７、および錘部材１９を、この順に積層する作業を行う。
【００４０】
次に、ナット２１を主体金具１１のネジ溝３５に螺合する作業を行い、主体金具１１の鍔部２７とナット２１との間で、下面側電極部材１３、圧電素子１５、上面側電極部材１７、錘部材１９の各部品を、挟持固定する。
【００４１】
詳しくは、まず、図６（ｂ）に示すように、ナット２１による固定のための基台５１を用意する。この基台５１の表面５３には、主体金具１１の座面４１の溝４３に嵌合するような十字形状の凸部５５が形成されている。なお、この凸部５５の先端側（外周側）の形状は、凸部５５が溝４３に嵌合した場合に、ガタツキがない程度に各溝４３とほぼ同一な形状（若干小さな相似形状）である。
【００４２】
次に、図６（ａ）に示すように、基台５１の上に、主体金具１１の座面４１の溝４３が凸部５５に嵌合するようにして、主体金具１１を載置する。このとき、主体金具１１には、下面側電極部材１３、圧電素子１５、上面側電極部材１７、錘部材１９、ナット２１の各部材が取り付けられているが、主体金具１１を基台５１に載置した後に、各部材を主体金具１１に取り付けてもよい。
【００４３】
これにより、主体金具１１の溝４３と基台５１の凸部５５とが嵌合して、主体金具１１は回動しない状態となっているので、この状態でナット２１を締め付けることにより、各部品を主体金具１１に固定することができる。つまり、これによって、一体に組み付けられた中心部材３が得られる。
【００４４】
＜射出成形＞
このあと、図７に示すように、前記中心部材３を射出成形用金型（以下単に金型と記す）６１、６３で取り囲み、この中心部材３の外周側を覆うように絶縁材料を射出成形して、被覆部材５を形成する作業を行う。なお、図７では、複数の金型６１、６３の一部を簡易化して示している。例えば上方の金型６１は複数の部材から構成されているが、図７では一つの金型として示している。
【００４５】
詳しくは、まず、図７（ｂ）に示すように、中心部材３を載置する下方の金型６１を用意する。この金型６１の表面６５には、前記図６（ｂ）と同様に、主体金具１１の座面４１の溝４３に嵌合するような十字形状の凸部６７が形成されている。なお、この凸部６７の形状は前記基台５１の凸部５５と同様である。
【００４６】
そして、下方の金型６１の表面６５に中心部材３（詳しくは主体金具１１）を載置する際には、主体金具１１の座面４１の溝４３に、下方の金型６１の凸部６７が嵌り込むようにする。また、中心部材３の周囲を囲むようにして、上方の金型６３を配置する。
【００４７】
その後、上方の金型６３の射出孔（図示せず）から、両金型６１、６３で囲まれた空間６９に、被覆部材５の絶縁材料を射出して、被覆部材５を形成する（即ち射出成形する）。
【００４８】
その後、金型６１、６３を除去することにより、ノッキングセンサ１が完成する。
なお、ノッキングセンサ１は、被覆部材５の下面側から主体金具１１の座面４１（従って溝４３）が露出し、被覆部材５の上面側からは主体金具１１の本体部２５の上面側の端部が露出するように形成される。また、コネクタ部９は、その内側において、下面側電極部材１３の端子部１３ａおよび上面側電極部材１７の端子部１７ａの一部が露出するように形成される。
【００４９】
［１−４．ノッキングセンサの取付方法］
次に、ノッキングセンサ１の取付方法について説明する。
図８に示すように、上述のように構成されたノッキングセンサ１は、内燃機関に組み付ける工場まで搬送された後に、この工場にて、自身の下面（詳細には、主体金具１１における鍔部２７の座面４１）が内燃機関の最適な箇所（一般にはシリンダブロックの取付部７１）に当接するようにして、内燃機関に対して取り付けられる。
【００５０】
具体的には、取付用ボルト７３を主体金具１１の上面側から主体金具１１の貫通孔２９に挿通する。そして、その取付用ボルト７３を、内燃機関に形成されたネジ孔７４のネジ溝７５と螺合させることにより、内燃機関に固定する。
【００５１】
このとき、取付部７１の上面７１ａに、固定用の凸部７７が設けられている場合には、この凸部７７にノッキングセンサ１の主体金具１１の座面４１の溝４３を嵌めこむ。この凸部７７は、（ネジ孔７４部分を除いて）前記基台５１の凸部５５と同様な形状である。
【００５２】
これにより、取付用ボルト７３をねじ締めする際に、主体金具１１（従ってノッキングセンサ１）が回動することを抑制できる。
なお、内燃機関でノッキングなどの異常振動が発生すると、その異常振動が主体金具１１の鍔部２７を介して圧電素子１５に達し、その異常振動に応じて圧電素子１５から出力される電気信号が、下面側電極部材１３の端子部１３ａおよび上面側電極部材１７の端子部１７ａから外部機器に対して出力される。
【００５３】
［１−５．効果］
次に、本第１実施形態の効果について説明する。
（１）本第１実施形態のノッキングセンサ１では、主体金具１１の座面４１に形成された溝４３は、座面４１の周方向の寸法より径方向の寸法が長い長尺の形状を有している。従って、被覆部材５を射出成形によって形成する際に、被覆部材５の絶縁材料が中心部材３（詳しくは主体金具１１）を回動させる方向に供給された場合でも、前記溝４３に金型６１の凸部６７を嵌合させることにより、主体金具１１等の回動を効果的に抑制することができる。
【００５４】
つまり、主体金具１１の座面４１に形成された溝４３は、回動方向よりも回動方向に直交する径方向が長いように形成されているので、主体金具１１の回動を確実に抑制できるという利点がある。
【００５５】
また、主体金具１１に搭載された圧電素子１５等を、ナット２１で締め付けて固定する場合には、基台５１上に凸部５５を設けておき、その凸部５５と主体金具１１の座面４１の溝４３とを嵌合させた状態で締め付けることができる。
【００５６】
この場合には、従来のように、ナット２１で締め付ける際に、主体金具１１の外周を固定具でクランプする必要がないので、クランプ痕やその位置ずれによる痕跡が発生しない。よって、そのような痕跡による製品不良の発生を防ぐことができる。
【００５７】
さらに、ノッキングセンサ１を主体金具１１に貫挿した取付用ボルト７３によって、内燃機関の取付部７１に固定する場合には、取付用ボルト７３の締め付けの際に、主体金具１１（従ってノッキングセンサ１）が回動し易いが、前記溝４３を取付部７１に設けた凸部７７と嵌合させることよって、ノッキングセンサ１の回動を確実に抑制することができる。
【００５８】
（２）また、本第１実施形態では、座面４１に形成された溝４３は、座面４１の外周端より内側に形成されている。つまり、この溝４３は、座面４１の外周端に達していない。そのため、射出成形の際に、外周側より溝４３の中に、被覆部材５の材料が侵入することを防ぐことができる。つまり、射出成形の際に、被覆部材５の絶縁材料によって溝４３が埋まることを抑制できるという利点がある。
【００５９】
（３）さらに、本第１実施形態では、溝４３は、座面４１の内周端に達している。 従って、座面４１に径方向に長い溝４３（即ち回動を抑制する効果の大きな溝）を容易に形成できるという利点がある。
【００６０】
（４）しかも、本第１実施形態では、複数（即ち４本）の４３溝は、座面４１の径方向に沿って放射状に配置されているので、確実に主体金具１１等の回動を抑制することができる。
【００６１】
［１−６．特許請求の範囲との対応関係］
ここで、特許請求の範囲と第１実施形態とにおける文言の対応関係について説明する。
第１実施形態の、ノッキングセンサ１、中心部材３、被覆部材５、圧電素子１５、貫通孔２９、座面４１、溝４３が、それぞれ本発明の、中心部材、被覆部材、圧電素子、貫通孔、座面、溝の一例に該当する。
【００６２】
［２．第２実施形態］
次に、第２実施形態について説明するが、前記第１実施形態と同様な構成については、その説明は省略する。なお、第１実施形態と同様な構成には、同様な番号を付す。
【００６３】
図９に示すように、本第２実施形態のノッキングセンサ８１は、前記第１実施形態と同様に、主体金具１１等を備えた中心部材３や、中心部材３を覆う被覆部材５等を備えているが、溝８３の構成が第１実施形態と異なっている。
【００６４】
つまり、本第２実施形態では、主体金具１１の座面４１に設けられた溝８３の幅が、第１実施形態より広く、例えば４ｍｍとなっている。なお、第１実施形態と同様に、放射状に４個所に配置された各溝８３間の角度（中心角）θは９０°である。
【００６５】
上述した第２実施形態によっても、前記第１実施形態と同様な効果を奏する。
［３．第３実施形態］
次に、第３実施形態について説明するが、前記第１実施形態と同様な構成については、その説明は省略する。なお、第１実施形態と同様な構成には、同様な番号を付す。
【００６６】
図１０に示すように、本第３実施形態のノッキングセンサ９１は、前記第１実施形態と同様に、主体金具１１等を備えた中心部材３や、中心部材３を覆う被覆部材５等を備えているが、溝９３の構成が第１実施形態と異なっている。
【００６７】
つまり、本第３実施形態では、主体金具１１の座面４１に放射状に設けられた溝９３は３本であり、各溝９３間の角度（中心角）θは１２０°である。
上述した第３実施形態の構成によって、前記第１実施形態と同様な効果を奏する。
【００６８】
［４．他の実施形態］
本発明は前記実施形態になんら限定されるものではなく、本発明を逸脱しない範囲において種々の態様で実施しうることはいうまでもない。
【００６９】
（１）例えば、溝の本数は、１本又は複数本から選択することができる。また、溝の平面形状も、前記実施形態に限定されるものではない。
（２）また、前記実施形態では、溝は、主体金具の貫通孔に達していたが、貫通孔に達しないように形成してもよい。
【００７０】
（３）さらに、中心部材の構成も前記実施形態に限定されず、例えばナット以外の他の固定部材によって、圧電素子等を固定してもよい。
（４）なお、上述した実施形態等の構成要素を適宜組み合わせることも可能である。
【符号の説明】
【００７１】
１、８１、９１…ノッキングセンサ
３…中心部材
５…被覆部材
１５…圧電素子
２９…貫通孔
４１…座面
４３、８３、９３…溝
【図１】
2018009870.tif 000003
【図２】
2018009870.tif 000004
【図３】
2018009870.tif 000005
【図４】
2018009870.tif 000006
【図５】
2018009870.tif 000007
【図６】
2018009870.tif 000008
【図７】
2018009870.tif 000009
【図８】
2018009870.tif 000010
【図９】
2018009870.tif 000011
【図１０】
2018009870.tif 000012